(57)【要約】【課題】包装対象物を包装した状態でも包装していない状態でも、使用者に楽しさを与えることができる包装袋を提供する。【解決手段】魚の外観表示の第１表面表示部３０を有する第１シート２０ａ及び魚の骨格表示の裏面表示部４０を有する第２シート２０ｂを、第１表面表示部３０の裏面と裏面表示部４０とが対向するように重ね合わせて、縁部２０ｃを魚の外形形状に切断し、挿入部１０以外の部分を接合する。また、包装対象物であるタオル５を内包させない状態で第１表面表示部３０の表示以外の部分から裏面表示部４０の表示が視認可能となり、タオル５が挿入部１０から挿入された状態で立体形状を形成し、タオル５の模様又は色彩のうち少なくとも一方が、第１表面表示部３０の表示以外の部分から視認可能となることによって、第１表面表示部３０及びタオル５が魚のモチーフを表すものとなるようにした包装袋１。【選択図】図１
2020179864.tif 000002
【特許請求の範囲】
【請求項１】
少なくとも一部が透明の樹脂製シートを、包装対象物を挿入するための少なくとも１つの挿入部を有するように袋状に形成した包装袋であって、
前記樹脂製シートの表面の少なくとも一部に所定のモチーフに基づく表示を行った第１表面表示部と、
前記樹脂製シートにおいて前記第１表面表示部と対向する面の裏面に前記第１表面表示部の表示と関連する表示を行った裏面表示部と、
を備え、
前記包装対象物を内包させない状態で前記第１表面表示部側の外部から見たときに、前記第１表面表示部の表示以外の部分から前記裏面表示部の表示が視認可能となり、
前記包装対象物が前記挿入部から挿入された状態で、該挿入された前記包装対象物の模様又は色彩のうち少なくとも一方が、前記第１表面表示部の表示以外の部分から視認可能となることによって、前記第１表面表示部及び前記包装対象物が前記所定のモチーフを表すものとなることを特徴とする包装袋。
【請求項２】
請求項１に記載の包装袋において、
前記樹脂製シートは、
前記第１表面表示部を有する第１シート及び前記裏面表示部を有する第２シートを備え、
前記第１シートと前記第２シートとを、前記第１シートの前記第１表面表示部の裏面と前記第２シートの前記裏面表示部とが対向するように重ね合わせた状態で、縁部が前記所定のモチーフの外形形状に切断されるとともに、前記切断された前記縁部の少なくとも一部を残して接合することによって前記挿入部が形成されることを特徴とする包装袋。
【請求項３】
請求項１又は請求項２に記載の包装袋において、
前記樹脂製シートの前記裏面表示部の反対面に、前記所定のモチーフに基づいた表示を行った第２表面表示部を備えたことを特徴とする包装袋。
【請求項４】
請求項１〜請求項３の何れか１項に記載の包装袋において、
前記挿入部は、
前記包装対象物を内包した状態で、密閉されていることを特徴とする包装袋。
【請求項５】
請求項１〜請求項４の何れか１項に記載の包装袋において、
前記樹脂製シートは、前記包装対象物を包装した状態で、立体形状となることを特徴とする包装袋。
【発明の詳細な説明】
【技術分野】
【０００１】
本発明は、表面や裏面にあるモチーフに基づいた模様などが施された包装袋に関する。
【背景技術】
【０００２】
従来、表表示と裏表示との間に資料などの用紙を挟持するためのクリアファイルであって、表表紙には、自動車などの形を有するものを一方向から見たときに得られる外観の画像が印刷され、裏表紙には、自動車などの形を有するものの内部構造を表す画像が印刷されたものがある（例えば、特許文献１参照）。
【先行技術文献】
【特許文献】
【０００３】
【特許文献１】実用新案登録３１１０９３６号公報
【発明の概要】
【発明が解決しようとする課題】
【０００４】
上記従来のクリアファイルでは、表表示と裏表紙とを重ね合わせたときに、外部から表表示の形のあるものの外観と裏表紙の形のあるものの内部構造とが重ね合わせた状態で視認可能となり、自動車などの形を有するものの変化を楽しむことができる。
【０００５】
ところが、上記クリアファイルには、用紙しか挟むことができないため、用紙を挟んだ場合、全体に平板状にしかならない。また、表表紙と裏表紙との間に挟持される用紙が紙の資料であり、通常は白地に任意の文字や図形が描かれたものである。したがって、表表紙と裏表示との間に用紙を挟んだ場合に表表示から透けて見える部分は、単に任意の文字や図形が描かれた白地となるだけであり、使用者にとって楽しさに欠けるという問題がある。
【０００６】
本発明は、こうした問題に鑑みなされたもので、包装対象物を包装した状態においても、包装対象物を包装していない状態においても、使用者に楽しさを与えることができる包装袋を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明の適用例１に係る包装袋（１，２）は、
少なくとも一部が透明の樹脂製シート（２０）を、包装対象物（５）を挿入するための少なくとも１つの挿入部（１０）を有するように袋状に形成した包装袋（１，２）であって、
前記樹脂製シート（２０）の表面の少なくとも一部に所定のモチーフに基づく表示を行った第１表面表示部（３０）と、
前記樹脂製シート（２０）において前記第１表面表示部（３０）と対向する面の裏面に前記第１表面表示部（３０）の表示と関連する表示を行った裏面表示部（４０）と、
を備え、
前記包装対象物（５）を内包させない状態で前記第１表面表示部（３０）側の外部から見たときに、前記第１表面表示部（３０）の表示以外の部分から前記裏面表示部（４０）の表示が視認可能となり、
前記包装対象物（５）が前記挿入部（１０）から挿入された状態で、該挿入された前記包装対象物（５）の模様又は色彩のうち少なくとも一方が、前記第１表面表示部（３０）の表示以外の部分から視認可能となることによって、前記第１表面表示部（３０）及び前記包装対象物（５）が前記所定のモチーフを表すものとなることを要旨とする。
【０００９】
このような包装袋（１，２）では、包装対象物（５）を挿入部（１０）から包装袋（１，２）の内部に挿入して、内包させることにより、包装対象物（５）を包装することができる。
【００１０】
また、包装対象物（５）を内包させない状態では、第１表面表示部（３０）側の外部から見たときに、第１表面表示部（３０）おいて所定のモチーフに基づく表示以外の部分（つまり透明の部分）から裏面表示部（４０）の表示が視認可能となる。したがって、包装対象物（５）を包装していない場合でも、所定のモチーフに基づく表示及びその表示の一部を透かして裏面表示部（４０）の表示を見ることができる。
【００１１】
ここで、裏面表示部（４０）には、第１表面表示部（３０）の表示と関連する表示が行われているため、第１表面表示部（３０）の表示と裏面表示部（４０）の表示とが一体となってモチーフに基づいた表示となるため、使用者に楽しさを与えることができる。
【００１２】
また、裏面表示部（４０）の「第１表面表示部（３０）の表示と関連する表示」とは、第１表面表示部（３０）の表示と裏面表示部（４０）の表示とが同じモチーフに基づく表示であり、その２つの表示を使用者が目視した場合に、何らかの関連性を看取できる関係を有していることをいう。
【００１３】
たとえば、第１表面表示部（３０）の表示が魚などの生物や植物あるいは建物の外観で、裏面表示部（４０）の表示が生物の内部構造である骨格表示、植物の内部構造表示や建物の部屋の内部表示である場合、あるいは、第１表面表示部（３０）の表示がある文章の一部で、裏面表示部（４０）の表示が同一の文章の残りの部分である場合（いわゆる虫食いのクイズなど）、第１表面表示部（３０）の表示がある絵画の一部で、裏面表示部（４０）の表示が同一の絵画の残りの部分である場合などである。
【００１４】
さらに、包装対象物（５）を包装した状態では、挿入された包装対象物（５）の模様又は色彩のうち少なくとも一方が、第１表面表示部（３０）の所定のモチーフに基づく表示以外の部分から視認可能となる。したがって、第１表面表示部（３０）及び包装対象物（５）が所定のモチーフを表すものとなるため、使用者に楽しさを与えることができる。
【００１５】
［適用例２］
適用例２に記載の包装袋（１，２）は、適用例１に記載の包装袋（１，２）において
前記樹脂製シート（２０）は、
前記第１表面表示部（３０）を有する第１シート（２０ａ）及び前記裏面表示部（４０）を有する第２シート（２０ｂ）を備え、
前記第１シート（２０ａ）と前記第２シート（２０ｂ）とを、前記第１シート（２０ａ）の前記第１表面表示部（３０）の裏面と前記第２シート（２０ｂ）の前記裏面表示部（４０）とが対向するように重ね合わせた状態で、縁部（２０ｃ）が前記所定のモチーフの外形形状に切断されるとともに、前記切断された前記縁部（２０ｃ）の少なくとも一部を残して接合することによって前記挿入部（１０）が形成されることを要旨とする。
【００１６】
このような包装袋（１，２）では、樹脂製シート（２０）が第１表面表示部（３０）を有する第１シート（２０ａ）と、裏面表示部（４０）を有する第２シート（２０ｂ）との縁部（２０ｃ）が接合された状態で構成され、さらに、外形形状が所定のモチーフの外形形状となっている。つまり、包装袋（１，２）の外形形状が所定のモチーフで描かれた物体の外形形状となっているため、使用者にとってより楽しさのある包装袋（１，２）となる。
【００１７】
［適用例３］
適用例３に記載の包装袋（１，２）は、適用例１又は適用例２に記載の包装袋（１，２）において、
前記樹脂製シート（２０）の前記裏面表示部（４０）の反対面に、前記所定のモチーフに基づいた表示を行った第２表面表示部（５０）を備えたことを要旨とする。
【００１８】
このような包装袋（１，２）では、使用者が、第１表面表示部（３０）側と裏面表示部（４０）側のいずれ側の外部から見ても所定のモチーフに基づく表示を視認することができるため、使用者にとってより楽しさのある包装袋（１，２）となる。
【００１９】
［適用例４］
適用例４に記載の包装袋（３）は、適用例１〜適用例３の何れか１項に記載の包装袋（１，２）において、
前記挿入部（１０）は、
前記包装対象物（５）を内包した状態で、密閉されていることを要旨とする。
このような包装袋（３）では、包装対象物（５）が内包された状態で、挿入部（１０）が密閉されているため、包装対象物（５）として、液体、粘体、粉状体など流動性のある物体を密封状態で包装することができる。
【００２０】
［適用例５｝
適用例５に記載の包装袋（１，２，３）は、適用例１〜適用例４の何れか１項に記載の包装袋（１，２，３）において、
前記樹脂製シート（２０）は、前記包装対象物（５）を包装した状態で、立体形状となることを要旨とする。
【００２１】
このような包装袋（１，２，３）では、樹脂製シート（２０）に包装対象物（５）を包装した状態で立体形状となる。したがって、モチーフが立体形状である場合には、包装袋（１，２，３）の外形形状がよりモチーフの形状に近いものとなり、使用者に、より楽しさを与えることができる。
【図面の簡単な説明】
【００２２】
【図１】包装袋の概略の構成を示す外観図である。
【図２】包装袋を実際に使用した状態を示す図（写真）である。
【図３】第２実施形態における包装袋の概略の構成を示す外観図である。
【図４】第３実施形態における包装袋の概略の構成を示す外観図である。
【発明を実施するための形態】
【００２３】
以下、本発明が適用された実施形態について適宜図面を用いて説明する。なお、本発明の実施の形態は、下記の実施形態に何ら限定されることはなく、本発明の技術的範囲に属する限り種々の形態を採りうる。
【００２４】
［第１実施形態］
（包装袋１の構成）
図１に基づき包装袋１の構成について説明する。図１は、包装袋の概略の構成を示す外観図であり、図１（ａ）は、第１シート２０ａの表面側（第１表面表示部３０側）から見た図であり、図１（ｂ）は、第２シート２０ｂの表面側（第２表面表示部５０側）から見た図であり、図１（ｃ）は、第２シート２０ｂの裏面側（裏面表示部４０側）から見た図である。
【００２５】
図１に示すように、包装袋１は、樹脂製シート２０を、包装対象物５を挿入するための少なくとも１つの挿入部１０を有するように袋状に形成した包装袋１であり、樹脂製シート２０、第１表面表示部３０、裏面表示部４０及び第２表面表示部５０を備えている。
【００２６】
樹脂製シート２０は、第１表面表示部３０を有する第１シート２０ａ及び裏面表示部４０を有する第２シート２０ｂを備えている。本実施形態では、第１シート２０ａ及び第２シート共に、ポリアミドとポリエチレンのシート材を張り合わせた、薄い水色の有色透明の複合材料を用いている。
【００２７】
第１シート２０ａと第２シート２０ｂとを、第１シート２０ａの第１表面表示部３０の裏面（第１シート２０ａの裏面）と第２シート２０ｂの裏面表示部４０（第２シート２０ｂの裏面）とが対向するように重ね合わせた状態で、縁部２０ｃが所定のモチーフに基づいた外形形状となるように切断する。また、切断した縁部２０ｃを、一部を残して接合することによって挿入部１０を形成している。
【００２８】
第１シート２０ａと第２シート２０ｂの縁部２０ｃを接合する方法としては、加熱による溶着や接着剤による接着を用いる。また、後述するように、本実施形態では、モチーフとしてデフォルメした魚（以下、単に「魚」とも呼ぶ。）を用いているため、外見形状が魚の形になるように切断用の金属型や刃物あるいは電熱線により切断している。
【００２９】
第１表面表示部３０は、第１シート２０ａの表面の少なくとも一部に所定のモチーフ（魚）に基づいて表示した部分である。
第１表面表示部３０は、魚の外観を描いているが、魚の外観のすべてを有色の不透明の塗料で描くのではなく、所々に塗料を塗布せず、透明の部分を残すように描いている。第１表面表示部３０において、不透明の塗料を用いて描いている領域を不透明領域３０ａ、透明の部分を透明領域３０ｂと呼ぶ。
【００３０】
裏面表示部４０は、第２シート２０ｂにおいて第１表面表示部３０の裏面と対向する面（第２シート２０ｂの裏面）に第１表面表示部３０の表示と関連した表示を行った部分である。本実施形態では、所定のモチーフとしてデフォルメした魚を用いているため、第１表面表示部３０の表示に関連した表示として、魚の内部構造、つまり、魚の骨を裏面表示部４０の表示としている。この魚の骨は、有色の不透明な塗料で描いている。
【００３１】
第２表面表示部５０は、第２シート２０ｂの裏面表示部４０の反対面（第２シート２０ｂの表面）に、所定のモチーフ（魚）に基づいて表示を行った部分である。
第２表面表示部５０は、第１表面表示部３０とは異なり、魚の外観形状の全体を不透明な塗料で描いている。
【００３２】
ここで、第１表面表示部３０、裏面表示部４０及び第２表面表示部５０の表示の基礎となるモチーフとは、装飾や模様の主題を構成する単位であり、例えば、魚などの動物、花や木などの植物、ビルや家屋などの建物、自動車などの機械器具、文章、絵画などである。
【００３３】
また、モチーフとしては、前述したものを写真のように正確に描いたものだけでなく、それらをデフォルメしてアミューズメント性を持たせたものであってもよい。さらに、物語や漫画などに登場するような架空のものであってもよい。
【００３４】
なお、第１表面表示部３０の表示部分の領域と縁部２０ｃの領域との間は離隔していてもよく、本実施形態では、第１表面表示部３０の表示である魚が描かれている領域と縁部２０ｃに領域との間には、薄い青色の透明な第１シート２０ａの領域部分がある。この領域部分が薄い水色であるために、使用者に対して、魚が水の中にいるようなイメージを与えることができるようになっている。
【００３５】
このように、第１表面表示部３０の表示部分の領域と縁部２０ｃの領域との間を離隔させることにより、使用者に、モチーフをより意識させることもできるようにしてもよい。
【００３６】
（包装袋１の使用方法と特徴）
次に図２に基づいて、包装袋１の使用方法について説明する。図２は、包装袋１を実際に使用した状態を示す図（写真）である。なお、本実施形態では包装対象物５をタオル５として説明する。
【００３７】
図２（ａ）には、包装袋１にタオル５を内包していない状態を示す。図２（ａ）に示すように、包装袋１にタオル５を内包させない状態では、包装袋１は、平板状になる。この状態で、使用者は、第１表面表示部３０の不透明領域３０ａでは、魚の着色部分を視認することができる。
【００３８】
また、透明領域３０ｂを通して、魚の内部構造である魚の骨格を視認することができる。したがって、包装袋１にタオル５を内包しない場合には、魚の外観だけでなく同時に骨格も視認することができるため、使用者に楽しさを与えることができる。
【００３９】
また、図２（ｂ）に示すように、タオル５を円柱状になるように折りたたみ、挿入部１０から包装袋１の内部に挿入すると、包装袋１は、内部に挿入されたタオル５により立体的な形状となる。
【００４０】
この状態で、使用者は、第１表面表示部３０の透明領域３０ｂを通して、挿入されたタオル５の模様又は色彩のうち少なくとも一方を視認することができ、第１表面表示部３０の不透明領域３０ａの模様や色彩と包装袋１に内包されたタオル５の模様や色彩とが一体となって、所定のモチーフ（魚）の外観を形成することになる。したがって、使用者に楽しさを与えることができる。
【００４１】
このように、包装袋１は、タオル５のような包装対象物５を内包した場合と内包しない場合とで、モチーフが同一で、かつ、異なった形状（立体と平面）になるとともに、異なった模様や色彩を示す。したがって、使用者に楽しさを与えることができる包装袋１となる。
【００４２】
［第２実施形態］
次に図３に基づき、第２実施形態における包装袋２について説明する。図３は、第２実施形態における包装袋２の概略の構成を示す図である。
【００４３】
第１実施形態における包装袋１は、第１シート２０ａと第２シート２０ｂとを用い、その縁部２０ｃを接合して包装袋１を形成していたが、第２実施形態では、１枚の樹脂製シート２０のみを用いて包装袋２を形成している。なお、第２実施形態における包装袋１と第２実施形態における包装袋２とは類似しているため、同じ構成部分については、同じ符号を付して、その説明を省略する。
【００４４】
図３に示すように、包装袋２は、１枚の樹脂製シート２０を筒状にし、筒状にする際に重なり合う縁部２０ｃを接合している。
また、樹脂製シート２０を筒状にする際、第１表面表示部３０と裏面表示部４０とが対抗する位置となるようにする。
【００４５】
さらに、外形形状をモチーフに基づいた外形形状に切断する代わりに、筒状のまま残しておくことにより、残した部分を透明の樹脂製シート２０の色が背景になるようにしている。
【００４６】
以上の構成にすることにより、１枚の樹脂製シート２０で、第１実施形態と同じ効果を得ることができる。
【００４７】
［第３実施形態］
次に図４に基づき、第３実施形態における包装袋３について説明する。図４は、第３実施形態における包装袋３の概略の構成を示す図である。なお、包装袋３は、後述する突起部１０ａを除いて第１実施形態における包装袋１と同じ外観であるため、第１表面表示部３０側から見た外観のみを示している。
【００４８】
図４に示すように、図１に示す第１実施形態における包装袋１の挿入部１０が、一部を残して接合され、残りの一部が細い筒状に形成され、突起部１０ａとなっている。その他の構成は包装袋１と同じであるため、説明を省略する。
【００４９】
この突起部１０ａから、包装対象物５として、液体、粘体あるいは粉状体など流動性のある物体を包装袋３の内部に注入した後、突起部１０ａを潰すように接合して密閉する。このようにして、流動性のある物体についても包装をすることができる。
【００５０】
［その他の実施形態］
（１）上記実施形態では、包装対象物としてタオル５を用いたが、お菓子、穀類、野菜あるいは果物などの食品、おもちゃなどの玩具や鉛筆、ボールペンあるいは消しゴムなどの筆記用具など立体的なものやハンカチなど平面的なものであってもよい。
【００５１】
（２）上記実施形態では、樹脂製シート２０、第１シート２０ａ、第２シート２０ｂとして薄い青色の透明の樹脂製シートを用いたが、透明の樹脂製シートであれば、モチーフに合わせて無色や他の色の樹脂製シートを用いてもよい。
【００５２】
（３）上記実施形態では、樹脂製シート２０として、ポリアミドとポリエチレンのシート材を張り合わせた複合材料を用いたが、包装袋１，２で包装する包装対象物５の特性（硬さや科学的な特性）や使用者の取り扱い易さなどに応じて、他の樹脂材料を用いてもよい。他の樹脂材料としては、ポリプロピレン、ＰＥＴ（ポリエチレンテレフタレート）、ポリアミド、塩化ビニル、塩化ビニリデン、ポリビニルアルコール、ポリ乳酸などの生分解フィルムなどがある。
【００５３】
（４）上記第１実施形態では、挿入部１０が一か所であったが、包装対象物５の大きさ、形状、柔らかさなど包装対象物５の特性に応じて、挿入部１０を複数箇所（２か所）に設け、挿入や取出しが容易になるようにしてもよい。
【００５４】
（５）上記第１実施形態では、第２シート２０ｂとしてポリアミドとポリエチレンを張り合わせた透明の複合材料を用いていたが、第２シート２０ｂは、表面及び裏面共に不透明のデザインがあり、必ずしも透明である必要がないため、アルミ箔や紙などの不透明な材料であってもよい。
【００５５】
（６）上記第２実施形態における包装袋２は、筒状に形成したが、途中で折り曲げて平面状になるようにしてもよい。
（７）上記第２実施形態における包装袋２では、挿入部１０を２か所設けたが、挿入部１０の１つを接合して、１つの挿入部１０を有する袋状に形成してもよい。
【００５６】
（８）上記第３実施形態では、挿入部１０に突起部１０ａを形成し、包装袋３の内部に包装対象物５を内包させた状態で突起部１０ａを接合させて密閉していたが、突起部１０ａを形成せずに、挿入部１０を接合した状態で、注入用の針などにより流動性のある物体を注入し、針穴を加熱などで塞いで密閉するようにしてもよい。
【００５７】
（９）上記第３実施形態では、挿入部１０に突起部１０ａを形成し、包装袋３の内部に包装対象物５を内包させた状態で突起部１０ａを接合させて密閉していたが、突起部１０ａを形成せずに、例えば、流動性のある物体以外の固形物を挿入部１０から挿入して、挿入部１０全体を接合して、密閉するようにしてもよい。
【符号の説明】
【００５８】
１，２，３… 包装袋  ５… タオル（包装対象物）  １０… 挿入部  １０ａ… 突起部  ２０… 樹脂製シート  ２０ａ… 第１シート  ２０ｂ… 第２シート  ２０ｃ… 縁部  ３０… 第１表面表示部  ３０ａ… 不透明領域  ３０ｂ…透明領域  ４０… 裏面表示部  ５０… 第２表面表示部。
【図１】
2020179864.tif 000003
【図２】
2020179864.tif 000004
【図３】
2020179864.tif 000005
【図４】
2020179864.tif 000006